(57)【要約】  本発明は、２つのひも端部（１）を接続する装置に関連し、該装置は、ヒンジで連結され、かつ共にカチッと取り付けられるベース要素（２）および少なくとも１つのロック要素（４）を備える。ベース要素は、ひも端部が導入され、かつ通過する少なくとも１つの開口部（３）と、各ひも端部のための挿入溝（８）とを有する。各挿入溝は、ひも端部が挿入溝内で摺動することを防止する手段、例えば返し要素（９）を備える。ロック要素は、ひも端部が挿入溝内で圧縮され、ベース要素およびロック要素が共に．カチッと取り付けられた後で挿入溝内で圧縮されたままとなるように、それぞれの挿入溝と協働するよう構成された圧力部分（１１）を有する。
2014500125.tif 000002
【特許請求の範囲】
【請求項１】
２つのひも端部（１）を接続するための装置であって、前記ひも端部を導入することができるよう構成されたベース要素（２）と、前記ベース要素と協同して前記ひも端部を固定するよう構成された少なくとも１つのロック要素（４）とを備える、装置。
【請求項２】
前記ベース要素および前記少なくとも１つのロック要素が共にカチッと取り付けることができる、請求項１に記載の装置。
【請求項３】
前記ベース要素および前記少なくとも１つのロック要素が互いにヒンジ接続されている、請求項１または２に記載の装置。
【請求項４】
前記ベース要素および前記少なくとも１つのロック要素が共に一体化したユニットを形成する、請求項１〜３のいずれか一項に記載の装置。
【請求項５】
前記ベース要素が、前記ひも端部を導入し、かつ該ひも端部が通過する少なくとも１つの開口部（３）を有する、請求項１〜４のいずれか一項に記載の装置。
【請求項６】
前記ベース要素が、前記ひも端部を挿入するための各ひも端部のための挿入溝（８Ａ，８Ｂ）を有する、請求項１〜５のいずれか一項に記載の装置。
【請求項７】
前記各挿入溝が、前記ひも端部が前記挿入溝内で摺動することを防止する手段を備える、請求項６に記載の装置。
【請求項８】
前記手段が、１または複数の鋸歯状の要素（９）を備える、請求項７に記載の装置。
【請求項９】
前記手段が、１または複数の返し要素（９）を備える、請求項７に記載の装置。
【請求項１０】
前記ひも端部が前記挿入溝内で圧縮され、かつ前記ベース要素およびロック要素が共にカチッと取り付けられた後で、前記挿入溝内で圧縮されたままとなるように、前記少なくとも１つのロック要素が、前記それぞれの挿入溝と協働するよう構成された圧力部分（１１）を有する、請求項１〜９のいずれか一項に記載の装置。
【請求項１１】
前記圧力部分が、前記ひも端部が前記挿入溝内で摺動することを防止するための鋸歯状または返し要素などの手段を備える、請求項１０に記載の装置。
【請求項１２】
ＲＦＩＤタグなどの識別要素を収容するおよび／または取り付けるための手段を備える、請求項１〜１１のいずれか一項に記載の装置。
【請求項１３】
前記ひも端部が前記挿入溝（８Ａ，８Ｂ）内で摺動することを防止するための前記手段（９）が柔軟である、請求項７〜１２のいずれか一項に記載の装置。
【請求項１４】
前記ひも端部が前記挿入溝（８Ａ，８Ｂ）内で摺動することを防止するための前記手段（９）が柔軟な板部品として構成される、請求項１３に記載の装置。
【請求項１５】
前記ひも端部が挿入溝（８Ａ，８Ｂ）内で摺動することを防止するための前記手段（９）が弾性的である、請求項７〜１４のいずれか一項に記載の装置。
【請求項１６】
前記ひも端部が前記挿入溝（８Ａ，８Ｂ）内で摺動することを防止するための前記手段がまっすぐな縁部（９３）を有する、請求項７〜１５のいずれか一項に記載の装置。
【請求項１７】
前記ひも端部が挿入溝（８Ａ，８Ｂ）内で摺動することを防止するための前記手段が、前記ベース要素（２）の上側（２６）および底側（２７）に実質的に直角に延在する縁部（９３）を有する、請求項７〜１６のいずれか一項に記載の装置。
【請求項１８】
前記ひも端部が挿入溝（８Ａ，８Ｂ）内で摺動することを防止するための前記手段が、前記挿入溝（８Ａ，８Ｂ）の底部（３４Ｂ）より距離（１３０）の分下に延在する、請求項７〜１７のいずれか一項に記載の装置。
【請求項１９】
前記少なくとも１つの開口部（３）が前記２つの挿入溝（８Ａ，８Ｂ）の間に位置する、請求項６〜１８のいずれか一項に記載の装置。
【請求項２０】
前記挿入溝が前記ベース要素の上側（２６）に対して凹んでいる、請求項６〜１９のいずれか一項に記載の装置。
【請求項２１】
使用中に前記ひも端部が、前記ベース要素の上面（２６）に実質的に平行に延在するそれぞれの湾曲軸（１０５Ａ，１０５Ｂ）の周囲に曲線を描くように、前記少なくとも１つの開口部および前記挿入溝（８Ａ，８Ｂ）が形成される、請求項６〜２０のいずれか一項に記載の装置。
【請求項２２】
前記湾曲軸（１０５Ａ，１０５Ｂ）が、前記ヒンジピン（１０１）に実質的に直角に延在する、請求項２１に記載の装置。
【請求項２３】
使用中に前記挿入溝が前記ひも端部を収容するように、前記挿入溝（８Ａ，８Ｂ）が形成されているため、前記ひも端部は、前記挿入溝（８Ａ，８Ｂ）を通り延在し、かつ前記ベース要素（２）および前記ロック要素（４）の間に位置する、請求項６〜２２のいずれか一項に記載の装置。
【請求項２４】
前記少なくとも２つの挿入溝（８Ａ，８Ｂ）が上面図において互いに対して１５度よりも小さい角度（β）で延在し、特に互いに直列である、請求項６〜２３のいずれか一項に記載の装置。
【請求項２５】
前記少なくとも２つの挿入溝（８Ａ，８Ｂ）は、上面図において、前記ベース要素および前記ロック要素の間のヒンジ連結部のヒンジピン（１０１）に対して１０度よりも小さい角度で延在する、請求項６〜２４のいずれか一項に記載の装置。
【請求項２６】
前記装置は、少なくとも２つの開口部（３Ａ，３Ｂ）および２つの挿入溝（８Ａ，８Ｂ）を備え、各挿入溝（８Ａ，８Ｂ）は、それぞれの開口部（３Ａ，３Ｂ）に関連し、前記開口部（３Ａ，３Ｂ）は、実質的に前記２つの挿入溝（８Ａ，８Ｂ）の間に位置する、請求項１〜２５のいずれか一項に記載の装置。
【請求項２７】
前記挿入溝（８Ａ，８Ｂ）は、前記ベース要素の側部まで延在し、かつ前記ロック要素（４）と共に、外部への通路（５５Ａ，５５Ｂ）を形成する、請求項６〜２７のいずれか一項に記載の装置。
【請求項２８】
少なくとも前記挿入溝（８Ａ，８Ｂ）の一部が、開口底部を有し、かつ前記ベース要素が前記ベース要素（２）の上側（２６）に対して凹んだ少なくとも２つの架橋部品（２８Ａ，２８Ｂ）を備え、前記架橋部品は、前記少なくとも１つの開口部（３Ａ，３Ｂ）から前記それぞれの挿入溝（８Ａ，８Ｂ）への通路を形成している、請求項６〜２７のいずれか一項に記載の装置。
【請求項２９】
各挿入溝（８Ａ，８Ｂ）は、比較的深い部分（３４Ａ，３４Ｂ）および比較的浅い部分（２８Ａ，２８Ｂ）を備える、請求項６〜２８のいずれか一項に記載の装置。
【請求項３０】
各挿入溝（８Ａ，８Ｂ）は、前記比較的深い部分（３４Ａ，３４Ｂ）および前記比較的浅い部分（２８Ａ，２８Ｂ）の間に底部を有さない部分を備える、請求項６〜２９のいずれか一項に記載の装置。
【請求項３１】
前記開口部（３Ａ，３Ｂ）と、前記挿入溝（８Ａ，８Ｂ）と、前記ロック要素（４）とは、使用中、前記ひも端部が１８０度よりも大きい角度で湾曲するよう形成されている、請求項２７〜３０のいずれか一項に記載の装置。
【請求項３２】
前記ベース要素（２）に４つの開口部（３Ａ，３Ｂ，２３Ａ，２３Ｂ）をさらに備え、該開口部は、前記ベース要素（２）の４つのそれぞれの挿入溝（８Ａ，８Ｂ，２４Ａ，２４Ｂ）に関連している、請求項１６〜２５のいずれか一項に記載の装置。
【請求項３３】
−  前記ベース要素（２）の２つの開口部（３Ａ，３Ｂ）は、前記それぞれの開口部（３Ａ，３Ｂ）から前記ベース要素（２）の側部まで延在するそれぞれの挿入溝（８Ａ，８Ｂ）に関連し、かつ
−  前記ベース要素（２）の２つの開口部（２３Ａ，２３Ｂ）は、前記それぞれの開口部（２３Ａ，２３Ｂ）から前記ベース要素（２）の実質的に前側に延在するそれぞれの挿入溝（２４Ａ，２４Ｂ）に関連する、請求項３２に記載の装置。
【請求項３４】
前記挿入溝（８Ａ，８Ｂ）は、ヒンジピン（１０１）に実質的に直角に延在する、請求項２０，２３，２５，３０，３１を除く請求項６〜３３のいずれか一項に記載の装置。
【請求項３５】
挿入溝（８Ａ）が前記少なくとも１つの開口部から実質的に前記ベース要素の前側（２５）に延在し、かつ挿入溝（８Ｂ）が、前記少なくとも１つの開口部から実質的に前記ベース要素の後側（４５）に延在する、請求項２０，２３，２５，３０，３１を除く請求項６〜３４のいずれか一項に記載の装置。
【請求項３６】
前記ヒンジが前記ロック要素に接続される領域に開口部（７４）が形成され、閉位置における前記開口部が使用中前記ヒンジに延在する挿入溝（８Ｂ）から来るひも端部のための通路開口部を形成し、該ひも端部は、前記開口部（７４）を通り外部へ延在する、請求項３４または３５に記載の装置。
【請求項３７】
前記装置、特に前記ロック要素の前記上側（２９）に、ＬＥＤ照明または他の技術的な適用、装飾、飾り付け、文字のマークまたは絵のマークが設けられた、請求項１〜３６のいずれか一項に記載の装置。
【請求項３８】
請求項１〜３７のいずれか一項に記載の装置が設けられた靴。
【発明の詳細な説明】
【技術分野】
【０００１】
本発明は、２本のひも端部を接続する装置に関連し、該装置は、ひも端部が導入できるよう構成されたベース要素と、ベース要素と協同してひも端部をロックするよう構成された少なくとも１つのロック要素とを備える。
【背景技術】
【０００２】
ひもは、特に、しかし決して排他的ではないが、（靴）ひもである。しかし、本発明は、例えば洋服、ヨット、テント、寝袋等の他のひも端部の接続に準用することができる。以下の記載において、ひも（ｓｔｒｉｎｇ）の端部およびひも（ｌａｃｅ）の端部という言葉が両方使用される。
【先行技術文献】
【特許文献】
【０００３】
【特許文献１】国際公開第０１／１９２１２号パンフレット
【発明の概要】
【発明が解決しようとする課題】
【０００４】
本発明の目的は、従来のひもの蝶結びの代わりを提供することがであり、言い換えればひも端部を蝶結びによって接続する必要性をなくすことであり、その結果、靴などがより単純かつより確かな方法で結ぶことができ、これは、運動靴およびまたとりわけ子供の靴にとって重要である。
【０００５】
本発明のさらなる目的は、２本のひも端部を接続する装置を提供することであり、これはさらに識別チップを収容する可能性を提供する。
【０００６】
本発明のさらに別の目的は、靴等を固定するために必要なひもの材料をより少なくすることを提供し、それはすなわち蝶結び−それは比較的長いひもが必要である−を不必要にする。
【０００７】
本発明による装置に関連するシステムは、特許文献１から知られている。しかし、本発明のシステムに反して、そこで示されたシステムは、２本のひも端部を接続することを意図しておらず、使用者によって結ばれた従来の蝶結びを維持または固定するための装置を意図している。
【０００８】
既知の装置は、（従来の）蝶結びがほどけ、かつ使用者が−この場合主に子供を想定している−結果としてつまずくのを防ぐことを目的としている。ひも端部は、従来の方法でベース要素（１）の上部で結ばれ、それに続いて、ベース要素にヒンジで接続されたロック要素（５）がそこにクリップ装置（７および８）によってカチッと取り付けられる。この場合、蝶結びの蝶の部分および自由端部は、ベース要素の嵌合歯およびロック要素の間で締め付けられ、その結果蝶結びはゆるまない。
【課題を解決するための手段】
【０００９】
本発明によれば、装置は、ひも端部を導入することができるよう構成されたベース要素と、ベース要素と協同してひも端部をロックするよう構成された少なくとも１つのロック要素とを備える。
【００１０】
本発明による装置は、特許文献１によるシステムと異なり、本発明による装置においては、自由なひも端部が装置に導入され、かつ締め付けられ（装置を介して、すなわち誘導される）、それに続いて、締め付けられたひも端部は、−結ばれることなく−装置に収容されて固定される。したがって、特に、本発明による装置の目的は、従来の蝶結びの代わりとなる、つまり、最新の代替形を提供することである。
【００１１】
好ましくは、ベース要素および少なくとも１つのロック要素は、共にカチッと取り付けることができ、つまり、例えば互いの中で、上に、または越えてカチッと取り付けられる（ｃｌｉｃｋ−ｆｉｔｔｅｄ）よう構成されている。
【００１２】
同様に、ベース要素および少なくとも１つのロック要素は、好ましくは互いにヒンジ接続され、かつベース要素および少なくとも１つのロック要素は共に一体化したユニットを好ましく形成する。
【００１３】
ベース要素は、ひも端部を導入し、かつ通過させる少なくとも１つの開口部を好ましく有する。これらの好ましい方法は特許文献１から知られているが、上述したように、本発明の目的とは異なる目的を有したシステムである。
【００１４】
好ましい実施形態において、ベース要素は、前記ひも端部を挿入するための各ひも端部の挿入溝を有する。好ましくは、各挿入溝は、例えば１または複数の鋸歯状または返し（ｂａｒｂ）要素を有する手段により、ひも端部が前記挿入溝内で摺動することを防止する手段を備える。さらに、少なくとも１つのロック要素は、ひも端部が前記挿入溝で圧縮され、かつベース要素およびロック要素が共にカチッと取り付けられた後に前記挿入溝で圧縮されたままとなるような方法によって、それぞれの挿入溝と協働するよう構成された圧力部分を有する。所望であれば、圧力部分は（また）、例えば鋸歯状または返し要素の形で、ひも端部が前記挿入溝において摺動することを防止する手段を備えることができる。
【００１５】
実施形態において、ひも端部が挿入溝において摺動することを防止する手段は、柔軟であり、かつ特に柔軟な板部品として構成される。実施形態において、手段は弾性的である。実施形態において、ひも端部が挿入溝において摺動することを防止する手段は、直線の縁部を有する。実施形態において、ひも端部が挿入溝において摺動することを防止する手段は、ベース要素の上側および底側へ実質的に直角に延在する縁部を有する。実施形態において、ひも端部が挿入溝において摺動することを防止する手段は、挿入溝の部分より下までの長さに亘って延在する。
【００１６】
実施形態において、２つの挿入溝８Ａ，８Ｂは、ベース要素内に延在し、２つの挿入溝の間に位置する少なくとも１つの開口部を有する。
【００１７】
実施形態において、挿入溝は、ベース要素の上側に対して凹んでいる。
【００１８】
実施形態において、少なくとも１つの開口部および挿入溝８Ａ，８Ｂは、使用中にひも部分が、ベース要素の上部表面に実質的に平行に延在する各湾曲軸の周囲に曲線を描くように形成される。
【００１９】
実施形態において、湾曲軸は、ヒンジピンに実質的に直角に延在する。
【００２０】
実施形態において、挿入溝８Ａ，８Ｂは、使用中それらがひも部分を収容するように形成されているため、ひも部分は、挿入溝８Ａ，８Ｂを通り延在し、かつベース要素およびロック要素の間に位置する。
【００２１】
実施形態において、上面図における２つの挿入溝は、互いに対して１５度より小さい角度βで、特に互いに直列に延在する。
【００２２】
実施形態において、上面図において少なくとも２つの挿入溝は、両方、ヒンジピンまたはベース要素およびロック要素の間のヒンジ連結部に対して１０度より小さい角度で延在する。
【００２３】
実施形態において、装置は、少なくとも２つの開口部および２つの挿入溝を備え、各挿入溝８Ａ，８Ｂは、開口部にそれぞれ関連し、開口部は、実質的に２つの挿入溝の間に位置している。
【００２４】
実施形態において、挿入溝は、ベース要素の側部まで延在し、ロック要素と共に外部への通路を形成する。
【００２５】
実施形態において、少なくとも挿入溝の一部は、開口底部を有し、そこにベース要素は、ベース要素の上側に対し凹んだ少なくとも２つの架橋部分を備え、架橋部分は、少なくとも１つの開口部からそれぞれの挿入溝への通路を形成している。
【００２６】
実施形態において、２つの挿入溝は、比較的深い部分および比較的浅い部分を備える。
【００２７】
実施形態において、２つの挿入溝は、比較的深い部分および比較的浅い部分の間に底部のない部品を備える。
【００２８】
実施形態において、ベース要素は、ロック要素と共に通路を形成する架橋部分を備え、架橋部分は、架橋部分に対して凹んであり、かつ架橋部分およびロック要素の圧力部分は、使用中、ひも部分がそれぞれの架橋部分の周囲に１８０度より大きい角度で湾曲するような方法で形成される。
【００２９】
実施形態において、装置は、ベース要素に４つの開口部をさらに備え、それらはベース要素の４つのそれぞれの挿入溝に関連する。
【００３０】
実施形態において：
−ベース要素の２つの開口部は、それぞれの開口部からベース要素の側部に延在するそれぞれの挿入溝に関連し、かつ
−ベース要素の２つの開口部は、それぞれの開口部から実質的にベース要素の前側に延在するそれぞれの挿入溝に関連する。
【００３１】
実施形態において、挿入溝８Ａ，８Ｂは、ヒンジピンに実質的に直角に延在する。
【００３２】
実施形態において、開口部は、ヒンジがロック要素に接続される部分に形成され、閉位置における開口部は、使用中にヒンジへ延在する挿入溝からくるひも部分のための通過開口部を形成し、開口部を通り外側へ延在する。
【００３３】
本発明はまた、先行する請求項の１つによる装置が設けられた靴に関連する。
【００３４】
以下、本発明は、２つの例示的な実施形態によって、かついくつかの図を参照することにより詳細に説明される。
【図面の簡単な説明】
【００３５】
【図１】開位置における本発明による装置の好ましい実施形態の上面図を示す。
【図２】同じ例示的な実施形態の側面図を示す。
【図３】図１に示す装置の代替の実施形態の上面図を示す。
【図４】代替の実施形態の断面図を示す。
【図５ａ】図１および図２に示す例示的な実施形態に相当する好ましい設計の異なる図を示す。
【図５ｂ】図１および図２に示す例示的な実施形態に相当する好ましい設計の異なる図を示す。
【図５ｃ】図１および図２に示す例示的な実施形態に相当する好ましい設計の異なる図を示す。
【図５ｄ】図１および図２に示す例示的な実施形態に相当する好ましい設計の異なる図を示す。
【図６】開位置における本発明の他の実施形態の上面図を示す。
【図７】開位置における図６の実施形態の等角図を示す。
【図８Ａ】開位置における図６の実施形態の正面図を示す。
【図８Ｂ】図６のラインＡ−Ａに沿った断面の正面図を示す。
【図９】開位置における図６の実施形態の下面図を示す。
【図１０】開位置における図６の実施形態の背面図を示す。
【図１１Ａ】開位置における図６の実施形態の側面図を示す。
【図１１Ｂ】使用中の図６の実施形態の等角図を示す。
【図１１Ｃ】使用中の図６の実施形態の等角図を示す。
【図１１Ｄ】使用中の図６の実施形態の等角図を示す。
【図１１Ｅ】使用中の図６の実施形態の等角図を示す。
【図１１Ｆ】使用中の図６の実施形態の等角図を示す。
【図１１Ｇ】使用中の図６の実施形態の断面図を示す。
【図１２】開位置における他の実施形態の上面図を示す。
【図１３】開位置における図１２の実施形態の側面図を示す。
【図１４】閉位置における図１２の実施形態の上面図を示す。
【図１５】開位置における図１２の実施形態の等角図を示す。
【図１６】閉位置における図１２の実施形態の側面図を示す。
【図１７】閉位置における図１４のラインＡ−Ａに沿った図１２の実施形態の断面を示す。
【発明を実施するための形態】
【００３６】
第１実施形態
したがって図１および図２は、２つのひも端部１を接続するための装置１００の好ましい実施形態を示し、装置１００は、開口部３を介してひも端部１を導入することができるように構成されたベース要素２と、ロック要素４と協同することにより、ひも端部１がベース要素２内にロックされるように構成されたロック要素４とを備える。ベース要素２およびロック要素４は、共にカチッと取り付けられる、つまりこれらは、互いに相互作用する縁部５および６によって互いの上にカチッと取り付けられるよう構成されている。ベース要素２およびロック要素４は、多かれ少なかれ薄い連結部７を介して互いにヒンジ接続され、該連結部を介して、ベース要素２およびロック要素４は、一体化したユニットを形成する。ユニットは、例えば，ポリプロピレンまたは他の熱可塑性物質などの射出成型によって作ることができる。
【００３７】
ベース要素２は、ひも端部１を導入し、かつ通過させるための１つ（ここに示されるように）または２つの開口部３を有する。
【００３８】
各ひも端部１のために、ベース要素２は、前記ひも端部１を挿入するための挿入溝８を有する。示される実施形態において、挿入溝８は、ベース要素２の長手方向全体を通っている。各挿入溝８は、ひも端部１が前記挿入溝８において摺動することを防止するための手段を備える。示される好ましい実施形態において、前記手段は、いくつかの弾性返し要素９を備える。前記返し要素９は、弾力性があるため、底側および上側において自由に移動することができ、ベース要素２の後壁に設けられた開口部１０によって、要素９はまた、後側で移動可能である。返し要素の復元力により、異なる厚さおよび形を有するひもが確実にロックされる／締め付けられることができる。
【００３９】
ロック要素４は、それぞれの挿入溝８と協働するよう構成された圧力部分１１を有しているため、ひも端部１−使用者によって両方のひも端部１が互いに反対方向に（矢印参照）ピンと張るように引っ張られ、つまり開口部３によって誘導された後、その結果として関連する靴が使用者５の足の周りで締め付けられる−が前記挿入溝８内で圧縮され、かつベース要素２およびロック要素４が共にカチッと取り付けられた後で前記挿入溝８内で圧縮されたままとなり、ひも端部１が弾性返し要素９の間で圧縮され、したがってひも端部が再び後に摺動することを防止する、圧力部分１１はまた、ひも端部１が挿入溝８内で摺動することを防ぐための、例えば歯のような手段を備える。
【００４０】
したがって彼／彼女の靴ひもを固定するために、使用者は、２つのひも端部１をベース要素２の開口部３に挿入し、開口部３を介してベース要素２を通り反対方向（矢印参照）に誘導されるひも端部２を引っ張ることによりひもをしっかり引き、その結果として、ひも１は、締め付けられ（この場合ベース要素２は、引張荷重を受ける）、および関連する靴は、使用者の足の周囲に締め付けられる。使用者がひもを締め付け位置に保つ間に、使用者は、上側および／または突出操作縁部１２を押すことにより、ロック要素４を閉める。
【００４１】
図３に示す実施形態は、１つの代わりに、すなわち溝１３を介して２つのロック要素４を有し、その結果、両方のロック要素４は、互いに独立してヒンジで連結されることができ、かつベース要素２の上にカチッと取り付けられ、それぞれ解放されることができる。実際には、１つの代わりに２つのロック要素４を有する実施形態が好ましい場合があり、２つのロック要素４を有する前記実施形態のように、それぞれのロック要素４を押下、およびカチッと取り付けることにより使用者はまず一方のひも端部１を固定し、そして他方のひも端部１を固定することができる。
【００４２】
ひも端部１を解放するために、１または複数のロック要素４はそれぞれ、操作縁部１２を上方に引っ張る、および／またはひも端部１を上方に引っ張ることによりベース要素２からカチッと外される。
【００４３】
例えばチューブ状のＲＦＩＤタグを空洞１４内に収容することができる。ＲＦＩＤタグの形は、異なることもできる（例えば平らに）ため、実際には、ハウジング１４の形および／または位置もまた図に示すものと異なることができることに留意しなければならない。
【００４４】
図４は、図３の構成の改良を示し、ロック要素４が長手方向において（屈曲した）ヒンジによってベース要素２に接続されておらず、長手方向に直角かつ、ベース要素２およびロック要素４の間で薄肉の（ヒンジ連結された／柔軟な）連結部１５によって形成されたヒンジ構造によってそれぞれ接続されている。連結部１５は、図１，図２および図３の構成の薄肉連結部７に類似している。しかし、連結部１５は、ベース要素２の長軸に直角であり、１または複数の連結部７（図３）は、それぞれ長手方向に延在する。
【００４５】
図５ａ〜図５ｄは、図１および図２の例示的な実施形態に大体一致する好ましい設計の異なる図を示す。様々な部品の機能および操作は、図１および図２の説明を参照されたい。図５ａは、開位置におけるベース要素２およびロック要素４の上面図を示し、図５ｂは側面図を示す。図５ｃおよび図５ｄは、開位置における同じ実施形態のそれぞれ上（図５ｃ）および下（図５ｄ）からの斜視図を示す。この場合、ひも開口部３、連結部７および返し部品９はまた明瞭に見ることができる。
【００４６】
第２実施形態
装置１００のさらなる実施形態が図６〜図１１Ａによって示される。装置１００は、実質的に卵形を有し、ロック要素は、ヒンジ連結部７を介して実質的に卵形のベース要素２の長辺２０に接続されている。ベース要素２は、前側２５および後側４５を有する。ヒンジ連結部７は、後側４５に接続される。ヒンジ連結部７は、フィルムヒンジによって形成される。ヒンジは、ベース要素２の中央長軸９９（図９参照）に平行に延在する。装置は、単独のヒンジ７のみを備える。
【００４７】
ベース要素２およびロック要素４は、実質的に平らであり、すなわちそれらは、長さ１２２および幅１２３（図９参照）と比較して比較的小さい高さ１２０，１２１（図１１Ａ参照）をそれぞれ有する。実施形態において、装置１００は、２０ｍｍ〜３０ｍｍの幅１２３、１５ｍｍ〜２０ｍｍの長さ１２２、および４ｍｍ〜９ｍｍの閉位置における全体の高さを有する。
【００４８】
ベース要素２は、ひもを挿入するよう構成された４つの開口部を備え、２つの開口部３Ａ，３Ｂは、左のひもおよび右のひもそれぞれが第１に通過するためであり、かつ２つの開口部２３Ａ，２３Ｂは、第２に通過するためのものである。
【００４９】
ベース要素２は、それぞれの開口部３Ａ，３Ｂから装置の側部３５Ａ，３５Ｂに延在する挿入溝８Ａ，８Ｂをさらに備える。
【００５０】
ベース要素２の挿入溝８Ａ，８Ｂは、使用中に挿入溝８Ａ，８Ｂ内、およびベース要素２およびロック要素４の間に位置するひも部分を収容する。上面図において、挿入溝８Ａ，８Ｂは、ヒンジピン１０１に対して１０度より小さい角度で延在し、実施形態においては、ヒンジピン１０１に平行である（図６の上面図参照）。
【００５１】
ベース要素２は、それぞれの開口部２３からベース要素の前側２５に延在する挿入溝２４Ａ，２４Ｂをさらに備える。溝２４Ａ，２４Ｂは、比較的短い。挿入溝２４Ａ，２４Ｂは、互いに鋭角δ（図６参照）、特に約３０〜６０度の角度で延在する。溝は、ベース要素２の上側２６に対して凹んだ架橋部分４４Ａ，４４Ｂによって形成される。溝２４Ａは、挿入溝８Ａに対して鋭角に延在する。溝２４Ｂは、溝８Ｂに対して鋭角に延在する。架橋部分４４Ａ，４４Ｂは、鋭い上縁部を有することができるが、この実施形態において、上縁部は滑らかである。
【００５２】
開口部３Ａ，３Ｂは、開口部２３Ａ，２３Ｂよりもヒンジ連結部７に近い。
【００５３】
その目的は以下に説明される。開口部３Ａ，３Ｂ，２３Ａ，２３Ｂは、丸みを帯びた角を有する実質的に正方形であるが、それらはま実質的に丸または卵形を有することができる。開口部３Ａ，３Ｂ，２３Ａ，２３Ｂは、滑らかな周辺を有し、それを通りひもは、ひも部分が捕捉される内部または外部への凹所なしで容易に通過することができる。
【００５４】
傾斜縁部６は、ベース要素２の上側２６に対して３０〜７０度の角度εである（角度εが示される図８Ａ参照）。
【００５５】
架橋部分２８Ａ，２８Ｂは、上側２６に対して深さ３７で凹んでおり、かつそれぞれの開口部３Ａ，３Ｂおよびそれぞれの挿入溝８Ａ，８Ｂの間に延在するそれぞれの溝３０Ａ，３０Ｂを形成する。架橋部分２８Ａ，２８Ｂは、鋭い上縁部を有することができるが、この実施形態においては、上縁部は滑らかである。
【００５６】
返し要素９は、柔軟な板部品として構成される。全体において、挿入溝８Ａにおいて６個の返し要素９および挿入溝８Ｂにおいて６個の返し要素９がある。返し要素９は、挿入溝８Ａ，８Ｂに対して約５０−７０度の鋭角αで延在する。当業者には返し要素９の数は、一定の範囲内で変えることができることは明らかだろう。
【００５７】
返し要素９は、挿入溝８Ａ，８Ｂの狭窄部を形成する、すなわち返し要素９の対向する縁部９３間の間隙１１０（図１１Ａ参照）は、挿入溝８Ａ，８Ｂの幅１１２（図１１Ａ参照）より小さい。
【００５８】
返し要素９は、ベース要素２の上側２６に実質的に直角かつ、溝軸１０３Ａ，１０３Ｂに直角に延在する縁部９３（図８Ｂおよび図１１参照）を有する。角度γは、図８Ｂを参照すべし。縁部９３はまた、ヒンジピン１０１に、挿入溝８Ａ，８Ｂの軸１０３Ａ，１０３Ｂ（角度は図６参照）に、かつベース要素２の中央長軸９９（図９参照）に直角に延在する。使用中、返し要素９は、ひもに力Ｆ（図６左のグループ３２Ａ参照、）を加え、力Ｆは、ベース要素の上面２６に平行である。
【００５９】
返し要素は、架橋部分３４Ａ，３４Ｂの上側よりも距離１３０さらに下方に延在する（図８Ｂ参照）。これは、使用中にひもが返し要素９の底側に引っかかり、それにしたがい損傷を受けることを防ぐ。
【００６０】
返し要素の位置において、挿入溝８Ａ，８Ｂは、底側で開口する。
【００６１】
板部品は、弾力性がある。一側において、板部品は、ベース要素２に接続される。板部品９には、左のグループ３２Ａおよび右のグループ３２Ｂの２つのグループがある。左のグループ３２Ａおよび右のグループ３２Ｂは、互いに離れる方向を向く、すなわち左のグループ３２Ａの返し要素９によってひもに加えられた力Ｆは、左を向き、かつ右のグループ３２ｂの返し要素９によって右のひもに加えられた力は、右を向く。
【００６２】
上面図において、溝３０Ａおよび３０Ｂは、互いに対して１５度よりも小さい角度βを有する。実施形態において、上面図では、挿入溝８Ａおよび８Ｂは、互いに直列である。挿入溝８Ａ，８Ｂ，３０Ａ，３０Ｂは、ヒンジ連結部に平行に延在する。挿入溝８Ａ，８Ｂは、ベース要素２の長軸９９（図９参照）に平行に延在する。
【００６３】
ベース要素は、ベース要素２の上側２６に対して深さ３８凹んだ架橋部分３４Ａ，３４Ｂをさらに有する。架橋部分３４Ａ，３４Ｂは、ベース要素２の左縁部３５Ａおよび右縁部３５Ｂに沿って延在する。架橋部分３４Ａは、垂直縁部４６Ａ１，４６Ａ２の間で延在し、かつ架橋部分３４Ｂは、垂直縁部４６Ｂ１および４６Ｂ２の間で延在する。
【００６４】
架橋部分３４Ａ，３４Ｂは、鋭い上縁部を有することができるが、この実施形態においては、それらの上縁部は、滑らかである。
【００６５】
挿入溝８Ａ，８Ｂは、開口部３Ａ，３Ｂおよびベース要素２の縁部３５Ａ，３５Ｂの間で延在するように形成される。したがって挿入溝８Ａ，８Ｂはまた、架橋部分２８Ａ，２８Ｂ，３４Ａ，３４Ｂを備える。架橋部分２８Ａ，２８Ｂ，３４Ａ，３４Ｂは、挿入溝の底部を形成する。したがって挿入溝８Ａ，８Ｂの底部は、端部で閉じられ、かつ挿入溝は、底側の端部の間で開口する。
【００６６】
中央架橋部分４０は、ベース要素２において十字を形成する。
【００６７】
ロック要素４は、上側２９および底側３１を有する。縁部５は、ロック要素の外縁の最も大きな部分の周囲に延在する。ロック要素４は、縁部５において凹所４２Ａ，４２ｂを有する。凹所４２Ａ，４２Ｂは、卵形の端側、すなわち卵形のロック要素４の大きく湾曲した側に位置する。
【００６８】
ロック要素４が閉まる場合、溝４２Ａ，４２Ｂは、架橋部分３４Ａ，３４Ｂ上に位置し、かつ垂直縁部４６Ａ１，４６Ａ２，４６Ｂ１，４６Ｂ２と共に，開口部５５Ａ，５５Ｂまたは通路を形成し、ひもは、そこを通り外側に延在する。
【００６９】
ロック要素４は、その縁部５に凹所４３Ａ，４３Ｂを有する。凹所４３Ａ，４３Ｂは、ヒンジ連結部と反対の卵形のロック要素の同じ長辺４７に位置する。
【００７０】
突起４９が、凹所４３Ａ，４３Ｂの間に位置する。使用中，突起４９は、通路５７Ａ，５７Ｂ（図８Ａ参照）から出てくるひも部分を別々に保つためにベース要素２上の突起５１と協働する。突起５１は、ひもを溝２４Ａ，２４Ｂ内に案内するように形成されている。
【００７１】
ロック要素４が閉まる場合、凹所４３Ａ，４３Ｂは、架橋部分４４Ａ，４４Ｂ上に位置し、かつ垂直縁部４７と共に、ひもが通り延在する開口部５７Ａ，５７Ｂを形成する。
【００７２】
図９を参照すると、装置の底側が示されている。明らかなように、ベース要素は、底側が比較的平らである。架橋部分２８Ａ，２８Ｂ，３４Ａ，３４Ｂ，４０，４４Ａ，４４Ｂは、ベース要素２の底側２７と実質的に同じ平面にある。
【００７３】
ロック要素４の上側２９が平らであり、かつ任意の文字、マーク、絵等に適切な面を形成し、およびＬＥＤ，ＲＦＩＤ等の技術的な利用および他の技術的な利用および装飾のためのベースとして機能することができる。これらは、２次元または３次元の形を有することができる。
【００７４】
図１１Ａは、架橋部分３４Ａ，３４Ｂがベース要素２の上側に対して凹むだけではなく、架橋部分２８Ａ，２８Ｂに対しても凹んでおり、開口部３Ａ，３Ｂおよび挿入溝８Ａ，８Ｂの間で移行する様子を示している。言い換えれば、深さ３８は、深さ３７よりも深い。したがって挿入溝８Ａ，８Ｂは、上の底部２８Ａ，２８Ｂおよび下の底部３４Ａ，３４Ｂ、または言い換えれば深い部分および浅い部分を備える。挿入溝８Ａ，８Ｂの浅い部分は、挿入溝８Ａ，８Ｂの深い部分よりも開口部３Ａ，３Ｂの近くに位置する。
【００７５】
これは、ひもが使用中に架橋部分２８Ａ，２８Ｂの周囲に、すなわち湾曲軸１０５Ａ，１０５Ｂの周囲１８０度よりも大きい角度で湾曲するという点で好都合である。特に後述する図１１Ｇを参照されたい。使用中に、垂直要素１１は、穴３Ａ，３Ｂを通り、挿入溝８Ａ，８Ｂに現れるひもを圧縮する。
【００７６】
１８０度よりも大きいこの角度、およびひもおよび架橋部分２８Ａ，２８Ｂ間の摩擦は、ひもをしっかり締め付けるために必要な把持部分を提供する。
【００７７】
ひも部分は、装置１００において上側２６に直角の平面に位置する。
【００７８】
図１０を参照すると、垂直要素１１の高さ７０は、ロック要素が閉じる場合に重要であり、垂直要素は、ロック要素の底側３１から下方に、架橋部分２８Ａ，２８Ｂ近くに、および挿入溝８Ａ，８Ｂ内に延在する。
【００７９】
実施形態において、垂直要素は、架橋部分２８Ａ，２８Ｂ，３４Ａ，３４Ｂと共に、ひも部分が後に再度わずかに湾曲するように形成され、すなわち、ひも部分が上面図（図６）における挿入溝８Ａ，８Ｂにおいて凹形状を有するように、１８０度の角度より後ろにひも部分はわずかに上方に湾曲する。これは、突出部品の高さ７０を比較的大きくし、かつ架橋部分２８Ａ，２８Ｂ，３４Ａ，３４を比較的小さい深さでへこますことにより達成可能である。
【００８０】
図１１Ａは、さらに返し要素９の上側に傾斜縁部６６が設けられていることを示す。これらの傾斜縁部により、使用中にひもを下方に単純な方法で押すことが可能となる。傾斜縁部６６は、言わばひもの案内を形成する。
【００８１】
さらに、架橋部分３４Ａ，３４Ｂの最も近くに位置する返し要素９は、前縁部６８の底側に傾斜縁部６７を有する。傾斜縁部６７は、返し要素９および架橋部分３４Ａ，３４Ｂの間で接触することを防ぐ。
【００８２】
図１１Ａを参照すると、ベース要素２は、側壁６２に溝６０を有する。溝６０は、ロック要素４の縁部５の内向き突出部６４を受け入れるために形成されるため、ロック要素４は、ベース要素２にカチッと取り付けられる。
【００８３】
実施形態において、装置１００全体は、一体に形成されるため、ネジ、接着剤接続または結合の他の手段が必要ない製造を容易にする。
【００８４】
第２実施形態の利用
図１１Ｂ，図１１Ｃ，図１１Ｄ，図１１Ｅおよび図１１Ｆを参照すると、本発明による装置を用いてひもを靴２００に固定することが示されている。ゆるんだひもを有する靴から結束が始まる（図１１Ｂ参照）。「ひも端部」および「ひも」という言葉は本明細書では同じ意味で使用される。ひも端部は、ひも開口部９５Ａ，９５およびひもの遠端部１４０の間に延在するひもの一部を指す。装置１００を使用する２つの方法がある。図１１Ｂ〜図１１Ｆにおいて、右のひも１Ｂは、蝶部分がある方法を示し、および左のひもは、蝶部分無しの方法を示す。
【００８５】
ひも１Ａ，１Ｂの端部８５Ａ，８５Ｂは、装置１００の底側から上方へ開口部３Ａ，３Ｂを通り押される（図１１Ｃ参照）。
【００８６】
その後、図１１Ｄに示すように、ひも１Ａ，１Ｂは、挿入溝８Ａ，８Ｂの一側に挿入される。そしてひも１Ａ，１Ｂは、装置１００の底側の後で蝶部分８６Ａ，８６Ｂに誘導され、かつ底側から上方に開口部２３Ａ，２３Ｂを通り押される。図は、蝶部分８６Ａを示していないが、両方のひもは、蝶結びされ、蝶部分８６Ａは存在する。
【００８７】
開口部２３ｂおよび通路５７Ｂを通り延在するひもの一部は、挿入溝８Ｂに位置するひも部分９１Ｂよりも軽く装置１００内で締め付けられる。
【００８８】
その後、ひも部分１Ａ，１Ｂの端部８５Ａ，８５Ｂは、挿入溝２４Ａ，２４Ｂ内に配置され、かつひも部分の短い、ゆるい端部は、この場合溝２４Ａ，２４Ｂおよび装置１００の前側に形成された開口部５７Ａ，５７Ｂから突出する。
【００８９】
その後、ロック要素４は閉じられ、およびカチッと取り付けられる（図１１Ｆおよび図１１Ｇ参照）。ベース要素２の下に延在するひも部分８８Ａ，８８Ｂは、靴のそれぞれのひも開口部９５Ａ，９５Ｂのベース要素２の底側２７に沿って、開口部３Ａ，３Ｂまで延在する。ひも部分は、開口部３Ａ，３Ｂを通りあらわれ、開口部３Ａ，３Ｂで実質的にＵ字形状またはＣ形曲線を示し、この後でひも部分は、挿入溝８Ａ，８Ｂの結果、互いから離れるように延在する。靴のひもの穴９５Ａ，９５Ｂから来ることにより、ひも部分は、互いに向かって移動し、Ｕ字形状またはＣ形曲線を示し、かつ再度互いから離れるように移動する。架橋部分２８Ａ，２８Ｂおよび突起１１の形の結果として、ひも部分は、１８０度より大きいＵ字形曲線、すなわちＣ形曲線を示す。溝８Ａ，８Ｂにおいて、ひも部分９１Ａ，９１Ｂは、後にわずかに湾曲する（図１１Ｇ参照）。
【００９０】
ひもの締め付けは、開口部５５Ａからくるひも部分８９Ａを一方の手で持ち、かつ開口部５５Ｂからくるひも部分８９Ｂを他方の手で持つことにより達成される。手を離れる方向に動かすことにより、矢印９０Ａ，９０Ｂ方向の力が生じ、両方のひも部分が締め付けられる。これは、ひも部分８９Ａ，８９Ｂが互いに直列である、すなわち実質的に１軸に沿って延在し、かつ両手、ひも部分および装置が一列になっているという単純な操作である。この配置により、締め付けがより簡単になる。引っ張る間、ひも部分８９Ａ，８９Ｂは、ひも開口部９５Ａ，９５Ｂをほぼ横切るように延在する（図１１Ｄ参照）。
【００９１】
また、ひも部分を１つずつ締めることも可能である。この場合、装置１００またはひも部分８９Ａ，８９Ｂは、片手で保持され、かつ開口部５５Ａまたは５５Ｂから外側に延在するひも部分は、各場合、他方の手によって締め付けられる。
【００９２】
底側２７で延在するひも部分８８Ａ，８８Ｂおよび挿入溝８Ａ，８Ｂに延在するひも部分９１Ａ，９１Ｂは、実質的に上側２６および底側２７に直角に延在する単一のまっすぐな平面１３５にある（図１１Ｇ参照）。
【００９３】
ひもを結ぶ間、左のひも１Ａは、左にあり、かつ右ひも１Ｂは右にあって、混乱を回避する。
【００９４】
蝶結びにより、ひもが絡まることなく靴を脱ぐことができる。靴を脱ぐ場合、蝶部分８６Ａ，８６Ｂは、簡単に小さくなり、その結果、靴は、より多くのひもを受け入れ、緩めることができるため、脱ぐことができる。締め付け後、蝶結びは、部品８９Ａ，８９Ｂを引っ張ることにより簡単に増やすことができる。
【００９５】
装置１００は、靴に緩く配置されるが、例えばつまみによって任意に靴に取り付けることができる。所望であれば、取り付けは、短いひもまたは柔軟なプラスチック要素によって達成することができる。
【００９６】
ベース要素の突出部品４８Ａ，４８ｂは、装置を開閉するために指を係合する点である。
【００９７】
図１１Ｆは、左のひも１Ａが蝶部分無しで結ばれ、かつ右のひも１Ｂが蝶部分を有して結ばれている状態を示す。
【００９８】
第３実施形態
図１２〜図１７を参照すると、本発明による装置１００の第３実施形態が示されている。装置１００は、実質的に円形のベース要素２および実質的に円形のロック要素４を有する。
【００９９】
この実施形態は、２つの挿入溝８Ａ，８Ｂの間に位置する単独の開口部３をベース要素２に有する。２つの開口部３Ａ，３Ｂを設けることも可能である。挿入溝８Ａ，８Ｂは、ヒンジ７のヒンジピン１０１に実質的に直角に延在する。挿入溝８Ａ，８Ｂは、実質的にベース要素２の中心からベース要素２の前側２５および後側４５にそれぞれ延在する。
【０１００】
挿入溝には、ひもを保持するために鋸歯状の歯（９）が設けられている。鋸歯状の歯は、上部に向かって例えばＶ形に分かれている。この場合、間隙の幅は、上部に向かって増加する。ひもが挿入溝８Ａ，８Ｂ内で突出要素によって圧縮される場合、ひもは、挿入溝８Ａ，８Ｂの狭い形状により、溝により深く押されるにつれて、よりしっかりとどまるようになる。
【０１０１】
開口部７４は、ヒンジ７近くのロック要素４の縁部ゾーンに設けられる。装置が閉じる場合、開口部７４は、挿入溝８の外側端部近くにもたらされ、したがってひもの外側への通路開口部を形成する。
【０１０２】
ベース要素２は、挿入溝８Ａ，８Ｂに配置され、かつ挿入溝８Ａ，８Ｂに対して横に延在する１または複数の敷居部８０を備える。敷居部８０は、鋭い上縁部を有し、かつ閉位置において、ひもを保持するためにロック要素４の突出部品１１と協働する。
【０１０３】
ロック要素は、さらに縁部５に凹所４２を備える。凹所は、ヒンジ７から最も遠くに位置する側に位置する。ロック要素１１の閉位置において、凹所は、架橋部分３４Ａの上に位置し、使用中に他のひもが出る通路開口部を形成するために、架橋部分と協働する。
【０１０４】
開口部７４および架橋部分３４Ａは、共に開口部を形成し、使用中にひもは、開口部を通り外側へ延在する。
【符号の説明】
【０１０５】
１  ひも端部
２  ベース要素
３Ａ，３Ｂ，２３Ａ，２３Ｂ  開口部
４  ロック要素
６  傾斜縁部
７  連結部
８Ａ，８Ｂ，３０Ａ，３０Ｂ  挿入溝
９  返し要素
１０  開口部
１１  圧力部分
１３  溝
１４  空洞
１５  連結部
２４Ａ，２４Ｂ  挿入溝
２８Ａ，２８Ｂ，３４Ａ，３４Ｂ，４０，４４Ａ，４４Ｂ  架橋部分
４２Ａ，４２Ｂ，４３Ａ，４３Ｂ    凹所
４６Ａ１，４６Ａ２，４６Ｂ１，４６Ｂ２  垂直縁部
５５Ａ，５５Ｂ  開口部
５７Ａ，５７Ｂ  開口部
【図１】
2014500125.tif 000003
【図２】
2014500125.tif 000004
【図３】
2014500125.tif 000005
【図４】
2014500125.tif 000006
【図５ａ】
2014500125.tif 000007
【図５ｂ】
2014500125.tif 000008
【図５ｃ】
2014500125.tif 000009
【図５ｄ】
2014500125.tif 000010
【図６】
2014500125.tif 000011
【図７】
2014500125.tif 000012
【図８Ａ】
2014500125.tif 000013
【図８Ｂ】
2014500125.tif 000014
【図９】
2014500125.tif 000015
【図１０】
2014500125.tif 000016
【図１１Ａ】
2014500125.tif 000017
【図１１Ｂ】
2014500125.tif 000018
【図１１Ｃ】
2014500125.tif 000019
【図１１Ｄ】
2014500125.tif 000020
【図１１Ｅ】
2014500125.tif 000021
【図１１Ｆ】
2014500125.tif 000022
【図１１Ｇ】
2014500125.tif 000023
【図１２】
2014500125.tif 000024
【図１３】
2014500125.tif 000025
【図１４】
2014500125.tif 000026
【図１５】
2014500125.tif 000027
【図１６】
2014500125.tif 000028
【図１７】
2014500125.tif 000029
【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
２つのひも端部（１）を接続するための装置であって、前記ひも端部を導入することができるよう構成されたベース要素（２）と、前記ベース要素と協同して前記ひも端部を固定するよう構成された少なくとも１つのロック要素（４）とを備える、装置。
【請求項２】
前記ベース要素および前記少なくとも１つのロック要素が共にカチッと取り付けることができ、かつ前記ベース要素および前記少なくとも１つのロック要素が互いにヒンジ接続されている、請求項１に記載の装置。
【請求項３】
前記ベース要素および前記少なくとも１つのロック要素が共に一体化したユニットを形成する、請求項１または２に記載の装置。
【請求項４】
前記ベース要素が、前記ひも端部を導入し、かつ該ひも端部が通過する少なくとも１つの開口部（３）を有し、前記ベース要素が、前記ひも端部を挿入するための各ひも端部のための挿入溝（８Ａ，８Ｂ）を有し、前記各挿入溝が、前記ひも端部が前記挿入溝内で摺動することを防止する手段を備える、請求項１〜３のいずれか一項に記載の装置。
【請求項５】
前記手段が、１または複数の鋸歯状の要素（９）、または返し要素（９）を備える、請求項４に記載の装置。
【請求項６】
前記ひも端部が前記挿入溝内で圧縮され、かつ前記ベース要素およびロック要素が共にカチッと取り付けられた後で、前記挿入溝内で圧縮されたままとなるように、前記少なくとも１つのロック要素が、前記それぞれの挿入溝と協働するよう構成された圧力部分（１１）を有し、前記圧力部分が、前記ひも端部が前記挿入溝内で摺動することを防止するための鋸歯状または返し要素などの手段を備える、請求項４または５に記載の装置。
【請求項７】
前記ひも端部が挿入溝（８Ａ，８Ｂ）内で摺動することを防止するための前記手段（９）が弾性的である、請求項３〜６のいずれか一項に記載の装置。
【請求項８】
前記ひも端部が挿入溝（８Ａ，８Ｂ）内で摺動することを防止するための前記手段（９）の上側に傾斜縁部（６６）が設けられている、請求項３〜７のいずれか一項に記載の装置。
【請求項９】
前記ひも端部が挿入溝（８Ａ，８Ｂ）内で摺動することを防止するための前記手段が、前記挿入溝（８Ａ，８Ｂ）の底部（３４Ｂ）より距離（１３０）の分下に延在する、請求項４〜８のいずれか一項に記載の装置。
【請求項１０】
前記少なくとも１つの開口部（３）が前記２つの挿入溝（８Ａ，８Ｂ）の間に位置する、請求項４〜９のいずれか一項に記載の装置。
【請求項１１】
使用中に前記ひも端部が、前記ベース要素の上面（２６）に実質的に平行に延在するそれぞれの湾曲軸（１０５Ａ，１０５Ｂ）の周囲に曲線を描くように、前記少なくとも１つの開口部および前記挿入溝（８Ａ，８Ｂ）が形成される、請求項４〜１０のいずれか一項に記載の装置。
【請求項１２】
前記湾曲軸（１０５Ａ，１０５Ｂ）が、ヒンジピン（１０１）に実質的に直角に延在する、請求項１１に記載の装置。
【請求項１３】
前記少なくとも２つの挿入溝（８Ａ，８Ｂ）が上面図において互いに対して１５度よりも小さい角度（β）で延在し、特に互いに直列であり、前記少なくとも２つの挿入溝（８Ａ，８Ｂ）は、上面図において、前記ベース要素および前記ロック要素の間のヒンジ連結部のヒンジピン（１０１）に対して１０度よりも小さい角度で延在する、請求項４〜１２のいずれか一項に記載の装置。
【請求項１４】
前記装置は、少なくとも２つの開口部（３Ａ，３Ｂ）および２つの挿入溝（８Ａ，８Ｂ）を備え、各挿入溝（８Ａ，８Ｂ）は、それぞれの開口部（３Ａ，３Ｂ）に関連し、前記開口部（３Ａ，３Ｂ）は、実質的に前記２つの挿入溝（８Ａ，８Ｂ）の間に位置し、前記挿入溝（８Ａ，８Ｂ）は、前記ベース要素の側部まで延在し、かつ前記ロック要素（４）と共に、外部への通路（５５Ａ，５５Ｂ）を形成する、請求項１〜１３のいずれか一項に記載の装置。
【請求項１５】
少なくとも前記挿入溝（８Ａ，８Ｂ）の一部が、開口底部を有し、かつ前記ベース要素が前記ベース要素（２）の上側（２６）に対して凹んだ少なくとも２つの架橋部品（２８Ａ，２８Ｂ）を備え、前記架橋部品は、前記少なくとも１つの開口部（３Ａ，３Ｂ）から前記それぞれの挿入溝（８Ａ，８Ｂ）への通路を形成し、各挿入溝（８Ａ，８Ｂ）は、比較的深い部分（３４Ａ，３４Ｂ）および比較的浅い部分（２８Ａ，２８Ｂ）を備え、各挿入溝（８Ａ，８Ｂ）は、前記比較的深い部分（３４Ａ，３４Ｂ）および前記比較的浅い部分（２８Ａ，２８Ｂ）の間に底部を有さない部分を備える、請求項４〜１４のいずれか一項に記載の装置。
【請求項１６】
前記開口部（３Ａ，３Ｂ）と、前記挿入溝（８Ａ，８Ｂ）と、前記ロック要素（４）とは、使用中、前記ひも端部が１８０度よりも大きい角度で湾曲するよう形成されている、請求項１４〜１５のいずれか一項に記載の装置。
【請求項１７】
前記ベース要素（２）に４つの開口部（３Ａ，３Ｂ，２３Ａ，２３Ｂ）を備え、該開口部は、前記ベース要素（２）の４つのそれぞれの挿入溝（８Ａ，８Ｂ，２４Ａ，２４Ｂ）に関連し、
−  前記ベース要素（２）の２つの開口部（３Ａ，３Ｂ）は、前記それぞれの開口部（３Ａ，３Ｂ）から前記ベース要素（２）の側部まで延在するそれぞれの挿入溝（８Ａ，８Ｂ）に関連し、かつ
−  前記ベース要素（２）の２つの開口部（２３Ａ，２３Ｂ）は、前記それぞれの開口部（２３Ａ，２３Ｂ）から前記ベース要素（２）の実質的に前側に延在するそれぞれの挿入溝（２４Ａ，２４Ｂ）に関連する、請求項１４〜１６のいずれか一項に記載の装置。
【請求項１８】
請求項１〜１７のいずれか一項に記載の装置が設けられた靴。
【国際調査報告】
2014500125.tif 000030
2014500125.tif 000031
2014500125.tif 000032
2014500125.tif 000033
2014500125.tif 000034